(57)【要約】【課題】口部本体と栓体を一体成形することにより、金型数を減じて製造コストを低減するとともに短期間で量産することができ、また、開閉を簡便に行うことができる口栓部材を提供すること。【解決手段】合成樹脂材料によって一体成形されたものからなり、容器１側に配設される口部本体２と、開封後栓体になるつまみ部３とを一体に備え、口部本体２の開口部とつまみ部３の栓部４とを、開封時に破断可能な連接部５を介して液密に接続する。【選択図】図２
2007308146.tif 000002
【特許請求の範囲】
【請求項１】
容器側に配設される口部本体と、開封後栓体になるつまみ部とからなる、合成樹脂材料によって一体成形された口栓部材において、口部本体の開口部とつまみ部の栓部とを、開封時に破断可能な連接部を介して液密に接続してなることを特徴とする口栓部材。
【請求項２】
栓部の上部と下部を中間部より小径となしたことを特徴とする請求項１記載の口栓部材。
【請求項３】
連接部の一部に脆弱部を形成したことを特徴とする請求項１又は２記載の口栓部材。
【請求項４】
栓部の外周に、栓部の揺動により連接部を押圧する複数の突条を設けたことを特徴とする請求項１、２又は３記載の口栓部材。
【発明の詳細な説明】
【技術分野】
【０００１】
本発明は、口栓部材に関し、特に、口部本体と栓体を一体成形することにより、金型数を減じて製造コストを低減するとともに短期間で量産することができ、また、開閉を簡便に行うことができる口栓部材に関するものである。
【背景技術】
【０００２】
例えば、飲料や薬品等の口付袋状容器やボトルの口栓部材は、容器側に固定される口部本体と、この口部本体に形成された雄ねじに螺合するスクリューキャップとからなる。
スクリューキャップは、その下部に設けた袴部を口部本体の根元に嵌合固定することにより未開封状態を保持し、開封時には、スクリューキャップを回転させ、袴部との間に設けたミシン目状の脆弱部（易破断部）を破断することにより開封するようにしている。
【０００３】
このような従来の口栓部材は、口部本体とスクリューキャップとをそれぞれ合成樹脂材料により一体成形しているが、口部本体とスクリューキャップとを別々に成形する必要があるため、製造コストが高くなるという問題があった。
【発明の開示】
【発明が解決しようとする課題】
【０００４】
本発明は、上記従来の口栓部材の有する問題点に鑑み、口部本体と栓体を一体成形することにより、金型数を減じて製造コストを低減するとともに短期間で量産することができ、また、開閉を簡便に行うことができる口栓部材を提供することを目的とする。
【課題を解決するための手段】
【０００５】
上記目的を達成するため、本発明の口栓部材は、容器側に配設される口部本体と、開封後栓体になるつまみ部とからなる、合成樹脂材料によって一体成形された口栓部材において、口部本体の開口部とつまみ部の栓部とを、開封時に破断可能な連接部を介して液密に接続してなることを特徴とする。
【０００６】
この場合において、栓部の上部と下部を中間部より小径となすことができる。
【０００７】
また、連接部の一部に脆弱部を形成することができる。
【０００８】
また、栓部の外周に、栓部の揺動により連接部を押圧する複数の突条を設けることができる。
【発明の効果】
【０００９】
本発明の口栓部材によれば、容器側に配設される口部本体と、開封後栓体になるつまみ部とからなる、合成樹脂材料によって一体成形された口栓部材において、口部本体の開口部とつまみ部の栓部とを、開封時に破断可能な連接部を介して液密に接続することから、口部本体とつまみ部とを一体成形することができ、これにより、金型数を減じて製造コストを低減するとともに短期間で量産することができる。
また、使用時は、つまみ部を捻ったり倒したりすることにより、連接部を破断して容易に開封するとともに、開封後は、栓部をそのまま口部本体に挿入することにより簡易に再封することができる。
【００１０】
また、栓部の上部と下部を中間部より小径となすことにより、開封後に口部本体に残るバリ状の連接部を避け、栓部の中間部で確実に栓をすることができる。
【００１１】
また、連接部の一部に脆弱部を形成することにより、開封時にこの脆弱部に応力が集中することによって、連接部を小さな力で確実に破断することができる。
【００１２】
また、栓部の外周に、栓部の揺動により連接部を押圧する複数の突条を設けることにより、開封時に連接部を突条で押圧して破断のきっかけを作り、連接部を小さな力で確実に破断することができる。
【発明を実施するための最良の形態】
【００１３】
以下、本発明の口栓部材の実施の形態を、図面に基づいて説明する。
【実施例１】
【００１４】
図１〜図３に、本発明の口栓部材の一実施例を示す。
この口栓部材は、合成樹脂材料によって一体成形されたものからなり、容器１側に配設される口部本体２と、開封後栓体になるつまみ部３とを一体に備えている。
そして、この口栓部材は、図２〜図３に示すように、口部本体２の開口部とつまみ部３の栓部４とを、開封時に破断可能な連接部５を介して液密に接続している。
【００１５】
この口栓部材は、汎用の合成樹脂材料を用いることができる。より具体的には、例えば、飲料や薬品等の口付袋状容器に適用されるものの場合には、袋状の容器１に熱融着等によって一体化し易い直鎖状低密度ポリエチレン樹脂（ＬＬＤＰＥ）又は直鎖状低密度ポリエチレン樹脂（ＬＬＤＰＥ）とポリプロピレン樹脂（ＰＰ）との混合物を好適に用いることができ、一方、ペットボトルに適用されるものの場合には、ポリエステル樹脂（ＰＥＴ）を好適に用いることができる。
【００１６】
口部本体２は、例えば、飲料や薬品等の口付袋状容器に適用されるものの場合には、袋状の容器１に熱融着等によって一体化し易い形状の固定部２１と、該固定部２１から立設された筒状の口部２２とを備えている。
【００１７】
そして、本実施例では、この口部２２の先端部と、つまみ部３の栓部４の先端部とを、開封時に破断される合成樹脂膜の連接部５により液密に接続している。
【００１８】
なお、口部本体２は、本実施例は、飲料や薬品等の口付袋状容器に適用されるものを例示したが、適用対象はこれに限定されるものではなく、固定部２１の形状を適宜変更することにより、例えば、固定部２１にペットボトル等のボトルの口部に螺合される雌ねじ部等を形成することにより、ペットボトル等のボトルに適用することもできる。
【００１９】
つまみ部３は、連接部５を介して口部本体２に接続された栓部４と、この栓部４の上に一体に形成されたつまみ片６とを備えている。
栓部４は、口部本体２の口部２２に先端部のみを挿入する位置で、連接部５を介して口部２２に接続されている。
また、栓部４は、その上部と下部を中間部より小径となすことにより、開封後に口部本体２の口部２２の先端部及び栓部４の下部に残るバリ状の連接部５を避けて、栓部４の中間部を略均一な円筒状に形成した口部２２の内周面に摺接させることによって確実に栓をすることができるようにしている。
【００２０】
また、図６に示す変形実施例のように、栓部４の外周に、栓部４の揺動により連接部５を押圧する縦リブ状の突条７を複数設けることができる。
突条７は、本実施例においては、連接部５との間に隙間を形成して設けるようにしているが、連接部５の上面に接続するようにして設けることもできる。
これにより、開封時に連接部５をこの突条７で押圧して破断のきっかけを作り、連接部５を小さな力で確実に破断することができる。
なお、つまみ部３を回転するように捻った場合でも、人手によるため栓部４は必ず揺動し、この揺動により突条７で連接部５を押圧することができる。
【００２１】
連接部５は、口部本体２の口部２２とつまみ部３の栓部４とを液密に接続する薄膜状のものからなり、口部２２の内側の全周に設けられている。
【００２２】
連接部５は、図３に示すように、その断面長を長短に選択的に形成することが可能であり、長く形成した方が破断を容易に行うことができる。
この場合、図７に示す変形実施例のように、栓部４の外周に入り込み部４１を形成することにより、連接部５の断面長に部分的に長短を持たせることができる。
【００２３】
また、連接部５は、図４に示すように、その一部に部分的に薄肉の脆弱部（易破断部）５１を形成することにより、開封時にこの脆弱部５１に応力が集中することによって、連接部５を小さな力で確実に破断することができる。
本実施例では、連接部５の内周側を薄肉部５２として形成するとともに、外周側の下部に肉を付け厚肉部５３として形成し、この厚肉部５３に部分的に切欠５４を設けることによって脆弱部５１を形成している。
この場合、脆弱部（易破断部）５１（切欠５４）の形状や個数は、図５に示す変形実施例のように、任意に設定することができる。
【００２４】
このように、本実施例の口栓部材は、使用時は、つまみ部３を捻ったり倒したりすることにより、連接部５を破断して開封するとともに、開封後は、図１（ｂ）に示すように、栓部４をそのまま口部本体２に挿入することにより簡易に再封することができる。
【００２５】
かくして、本実施例の口栓部材は、容器１側に配設される口部本体２と、開封後栓体になるつまみ部３とからなる、合成樹脂材料によって一体成形された口栓部材において、口部本体２の開口部とつまみ部３の栓部４とを、開封時に破断可能な連接部５を介して液密に接続することから、口部本体２とつまみ部３とを一体成形することができ、これにより、金型数を減じて製造コストを低減するとともに短期間で量産することができる。
また、使用時は、つまみ部３を捻ったり倒したりすることにより、連接部５を破断して容易に開封するとともに、開封後は、栓部４をそのまま口部本体２に挿入することにより簡易に再封することができる。
【００２６】
また、栓部４の上部と下部を中間部より小径となすことにより、開封後に口部本体２に残るバリ状の連接部５を避け、栓部４の中間部で確実に栓をすることができる。
【００２７】
また、連接部５の一部に脆弱部５１を形成することにより、開封時にこの脆弱部５１に応力が集中することによって、連接部５を小さな力で確実に破断することができる。
【００２８】
さらに、栓部４の外周に、栓部４の揺動により連接部５を押圧する複数の突条７を設けることにより、開封時に連接部５を突条７で押圧して破断のきっかけを作り、連接部５を小さな力で確実に破断することができる。
【００２９】
以上、本発明の口栓部材について、その実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３０】
本発明の口栓部材は、開封後栓体となるつまみ部を備えた口栓部材において、口部本体と栓体を一体成形することにより、金型数を減じて製造コストを低減するという特性を有していることから、低廉で量産に適した汎用の口栓部材として広く好適に用いることができる。
【図面の簡単な説明】
【００３１】
【図１】本発明の口栓部材の一実施例を示し、（ａ）はその正面図、（ｂ）は開封後に栓部を口部本体に挿入した状態を示す部分断面図である。
【図２】同口栓部材を示し、（ａ）はその一部断面平面図、（ｂ）は同一部断面側面図、（ｃ）は同平面図、（ｄ）は同底面図、（ｅ）は（ａ）のＡ−Ａ線断面図である。
【図３】連接部を示し、（ａ）は短尺の連接部を示す断面図、（ｂ）は長尺の連接部を示す断面図である。
【図４】脆弱部を設けた連接部を示し、（ａ）はその縦断面図、（ｂ）は（ａ）のＡ−Ａ線断面図である。
【図５】脆弱部を設けた連接部の変形例を示し、（ａ）はその縦断面図、（ｂ）は（ａ）のＡ−Ａ線断面図である。
【図６】突条を設けた栓部の変形例を示し、（ａ）はその縦断面図、（ｂ）は（ａ）のＡ−Ａ線断面図である。
【図７】連接部の変形例を示し、（ａ）はその縦断面図、（ｂ）は（ａ）のＡ−Ａ線断面図である。
【符号の説明】
【００３２】
１    容器
２    口部本体
２１  固定部
２２  口部
３    つまみ部
４    栓部
５    連接部
５１  脆弱部
５２  薄肉部
５３  厚肉部
５４  切欠
６    つまみ片
７    突条
【図１】
2007308146.tif 000003
【図２】
2007308146.tif 000004
【図３】
2007308146.tif 000005
【図４】
2007308146.tif 000006
【図５】
2007308146.tif 000007
【図６】
2007308146.tif 000008
【図７】
2007308146.tif 000009